【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
特に生体サンプル（Ｐ）を検査するための分析システム（１）、特にカートリッジ（１００）であって、
前記分析システム（１）は、複数のチャネル（１１４）を有する本体（１０１）を含み、サンプル（Ｐ）の検体（Ａ）を検出するためのセンサ配置を含み、
前記センサ配置が、捕捉分子（Ｍ）を有するセンサ装置（１１３）と、該センサ装置（１１３）を覆うために少なくとも部分的に可撓性であり、作動によって又は作動状態では該センサ装置（１１３）の上に又はそれに向けて下降させることができるセンサカバー（１１７）とを含み、
非作動状態では、前記センサカバー（１１７）は、前記センサ装置（１１３）に対面する側面上で少なくとも実質的に平面又は平坦であり、かつ該センサ装置（１１３）から遠隔の又は反対の側面上で中心に隆起部分を有し、及び／又は
前記センサカバー（１１７）は、前記本体（１０１）で保持され、該センサカバー（１１７）は、その縁部で締め付けられ、及び／又は該本体（１０１）の凹部又はレセプタクル（１０１Ｂ）に連結及び／又は形状適合方式で保持される、
ことを特徴とする分析システム（１）。
【請求項２】
前記センサカバー（１１７）は、空圧的に作動及び／又は下降させることができ、及び／又は
前記センサ装置（１１３）は、縁部領域内で前記センサカバー（１１７）に対して押圧され、及び／又は該縁部領域内で該センサカバー（１１７）上に密封的に装着されることを特徴とする請求項１に記載の分析システム。
【請求項３】
前記センサ装置（１１３）のハウジング（１１３Ｇ）が、縁部領域内で前記センサカバー（１１７）上に密封的に装着され、該ハウジング（１１３Ｇ）は、チップ又は支持体（１１３Ｄ）を少なくとも部分的に取り囲み、好ましくは、前記チップ又は支持体（１１３Ｄ）は、前記ハウジング（１１３Ｇ）内で一体成形されることを特徴とする請求項１又は請求項２に記載の分析システム。
【請求項４】
前記ハウジング（１１３Ｇ）は、測定側面上で前記チップ又は支持体（１１３Ｄ）のセンサアレイ（１１３Ａ）を自由のままに残し、及び／又は
前記センサ装置（１１３）、特に前記支持体（１１３Ｄ）は、複数の電気接点又は接触面（１１３Ｅ）を含むことを特徴とする請求項３に記載の分析システム。
【請求項５】
前記分析システム（１）及び／又はカートリッジ（１００）は、好ましくは空圧的な接続部（１２９）を含み、これにより前記分析システム（１）、及び／又はカートリッジ（１００）、及び／又は前記センサカバー（１１７）に作動媒体、特にガスを供給することができ、及び／又はこれにより空圧的に作動させることができることを特徴とする請求項１から請求項４のいずれか１項に記載の分析システム。
【請求項６】
前記分析システム（１）、及び／又はカートリッジ（１００）、及び／又は前記センサ配置は、圧力チャンバ（１２８）を含み、好ましくは、前記圧力チャンバ（１２８）には、前記接続部（１２９）により前記作動媒体を供給することができることを特徴とする請求項１から請求項５のいずれか１項に記載の分析システム。
【請求項７】
前記センサカバー（１１７）は、前記圧力チャンバ（１２８）と前記センサ装置（１１３）の間に配置され、及び／又は
前記センサカバー（１１７）は、前記圧力チャンバ（１２８）をセンサ区画（１１８）から流体的に分離することを特徴とする請求項６に記載の分析システム。
【請求項８】
前記センサカバー（１１７）は、中心で補強され、及び／又はワンピースに形成され、及び／又はユニットを形成し、及び／又は
前記センサカバー（１１７）は、プラスチック材料、特にエラストマーで作られる及び／又はそれから射出成形されることを特徴とする請求項１から請求項７のいずれか１項に記載の分析システム。
【請求項９】
前記センサカバー（１１７）は、前記センサ装置（１１３）の上に下降させることができるカバー部（１１７Ａ）と、側面部（１１７Ｂ）と、少なくとも部分的に可撓性及び／又は伸張性である接続部（１１７Ｃ）とを含み、好ましくは、前記カバー部（１１７Ａ）は、前記接続部（１１７Ｃ）により前記側面部（１１７Ｂ）に接続されることを特徴とする請求項１から請求項８のいずれか１項に記載の分析システム。
【請求項１０】
前記カバー部（１１７Ａ）は、前記接続部（１１７Ｃ）及び／又は側面部（１１７Ｂ）よりも肉厚である及び／又はより剛性であり、及び／又は
前記接続部（１１７Ｃ）は、前記側面部（１１７Ｂ）よりも肉薄であることを特徴とする請求項９に記載の分析システム。
【請求項１１】
前記側面部（１１７Ｂ）は、前記カバー部（１１７Ａ）をカラー状方式で取り囲み、及び／又は
前記側面部（１１７Ｂ）は、前記センサ装置（１１３）と前記本体（１０１）の間に直接に保持される及び／又は締め付けられることを特徴とする請求項９又は請求項１０に記載の分析システム。
【請求項１２】
前記側面部（１１７Ｂ）は、前記センサ装置（１１３）、及び／又はセンサ区画（１１８）、及び／又は圧力チャンバ（１２８）のためのシールを形成し、及び／又は
入口（１１９）及び／又は出口（１２０）が、前記側面部（１１７Ｂ）を通って延び、及び／又は少なくとも部分的に該側面部（１１７Ｂ）によって形成されることを特徴とする請求項９又は請求項１１に記載の分析システム。
【請求項１３】
前記センサ配置は、前記センサ装置（１１３）と前記センサカバー（１１７）の間のセンサ区画（１１８）と、該センサ区画（１１８）に入る入口（１１９）と、該センサ区画（１１８）から出る出口（１２０）とを含み、該入口（１１９）及び／又は該出口（１２０）は、該センサカバー（１１７）を通って延びることを特徴とする請求項１から請求項１２のいずれか１項に記載の分析システム。
【請求項１４】
前記入口（１１９）及び／又は前記出口（１２０）は、断面が細長及び／又はスロット状であり、及び／又は
前記入口（１１９）及び／又は前記出口（１２０）は、前記センサ区画（１１８）に向けて発散することを特徴とする請求項１３に記載の分析システム。
【請求項１５】
前記センサ区画（１１８）は、前記平坦側面上で前記センサカバー（１１７）及び前記センサ装置（１１３）によって区切られる又は定められ、及び／又は
流体が、カートリッジ（１００）の通常作動位置で少なくとも実質的に垂直にセンサ区画（１１８）を通って流れることができることを特徴とする請求項１から請求項１４のいずれか１項に記載の分析システム。
【請求項１６】
前記センサ装置（１１３）及び／又は前記センサカバー（１１７）は、前記本体（１０１）を熱かしめすることによって前記凹部又はレセプタクル（１０１Ｂ）に保持され、及び／又は
前記センサ装置（１１３）は、前記捕捉分子（Ｍ）に結合された検体（Ａ）を特に電気化学的に検出するように設計されることを特徴とする請求項１から請求項１５のいずれか１項に記載の分析システム。
【請求項１７】
前記センサ装置（１１３）は、複数のセンサフィールド（１１３Ｂ）を有するセンサアレイ（１１３Ａ）を含み、好ましくは、前記センサフィールド（１１３Ｂ）は、前記センサカバー（１１７）を下降させることによって互いから流体的に分離することができることを特徴とする請求項１から請求項１６のいずれか１項に記載の分析システム。
【請求項１８】
前記センサ装置（１１３）は、センサ区画（１１８）から遠隔の側面上で電気的に接触させることができ、及び／又は
前記センサ装置（１１３）は、複数の電気接点（１１３Ｅ）を含むことを特徴とする請求項１から請求項１７のいずれか１項に記載の分析システム。
【請求項１９】
サンプルを検査するための分析システムであって、
前記分析システムは、複数のチャネルを有する本体を含み、そして前記サンプルの検体を検出するためのセンサ配置を含み、
前記センサ配置が、捕捉分子を有するセンサ装置と、該センサ装置を覆うために少なくとも部分的に可撓性であり、作動状態では該センサ装置の上に又は該センサ装置に向けて下降させることができるセンサカバーとを含み、
前記センサ装置のハウジングは、縁部領域内で前記センサカバーに密封的に装着され、前記ハウジングは前記センサ装置のチップ又は支持体を少なくとも部分的に取り囲む、
ことを特徴とする分析システム。
【請求項２０】
前記ハウジング内で前記チップ又は支持体が一体的に成形されていることを特徴とする請求項１９に記載の分析システム。
【請求項２１】
前記ハウジングは測定側で前記チップ又は支持体のセンサアレイを自由なままに残していることを特徴とする請求項１９又は請求項２０に記載の分析システム。
【請求項２２】
前記センサ装置は複数の電気接点又は接触面を含むことを特徴とする請求項１９から請求項２１のいずれか１項に記載の分析システム。
【請求項２３】
サンプルを検査するための分析システムであって、
前記分析システムは、複数のチャネルを有する本体を含み、そして前記サンプルの検体を検出するためのセンサ配置を含み、
前記センサ配置が、捕捉分子を有するセンサ装置と、該センサ装置を覆うために少なくとも部分的に可撓性であり、作動状態では該センサ装置の上に又は該センサ装置に向けて下降させることができるセンサカバーとを含み、
前記センサ装置は複数のセンサフィールドを有するセンサアレイを含み、
前記センサフィールドは前記センサカバーを下降させることにより、互いに流体分離されることを特徴とする分析システム。
【請求項２４】
前記センサ装置は前記捕捉分子に結合された検体を電気化学的に検出するように設計されることを特徴とする請求項２３に記載の分析システム。
【請求項２５】
前記センサカバーは空圧的に下降させることができることを特徴とする請求項２３又は請求項２４に記載の分析システム。